(57)【要約】【課題】保液力が向上した、緑化基盤および緑化装置を提供する。【解決手段】緑化基盤１は基盤本体２を備える。基盤本体２は平板状であり、かつ、保液性を有する。基盤本体２には、一方の面と、この一方の面に対向する他方の面との間を略水平方向に貫通する貫通孔３が形成されている。緑化基盤１は、貫通孔３の内部に少なくとも一部が出し入れ自在に配置された散水管４を備える。散水管４の一端は開口しており、他端は閉塞している。散水管４には、散水管４の内周面と外周面との間を貫通する多数の散水孔が形成されている。【選択図】図１
2015092857.tif 000002
【特許請求の範囲】
【請求項１】
貫通する貫通孔が形成された、かつ、保液性を有する基盤本体を備える
緑化基盤。
【請求項２】
前記基盤本体は、平板状であり、かつ、一方の面と同一方の面に対向する他方の面との間を略水平方向に貫通する貫通孔が形成された
請求項１に記載の緑化基盤。
【請求項３】
少なくとも一端に開口した開口部が形成された、かつ、内部が同開口部を介して外部と連通し、かつ、前記貫通孔の内部に少なくとも一部が配置される、かつ、内周面と外周面との間を貫通する散液孔が形成された管状散液部材を備える
請求項１または請求項２に記載の緑化基盤。
【請求項４】
貫通する貫通孔が形成された、かつ、保液性を有する第１の基盤本体と、
両端に開口した開口部が形成された、かつ、内部が同開口部を介して外部と連通し、かつ、前記第１の基盤本体の前記貫通孔の内部に少なくとも一部が配置される、かつ、内周面と外周面との間を貫通する散液孔が形成された第１の管状散液部材と、
貫通する貫通孔が形成された、かつ、保液性を有する第２の基盤本体と、
一端に開口した開口部が形成された、かつ、内部が同開口部を介して外部と連通し、かつ、他端に閉塞した閉塞部を有し、かつ、前記第２の基盤本体の前記貫通孔の内部に少なくとも一部が配置される、かつ、内周面と外周面との間を貫通する散液孔が形成された第２の管状散液部材とを備える
緑化基盤。
【請求項５】
前記第１の基盤本体と前記第２の基盤本体とが接続可能に、前記第１の管状散液部材および前記第２の管状散液部材が前記貫通孔に配置される
請求項４に記載の緑化基盤。
【請求項６】
平板状であり、かつ、一方の面と同一方の面に対向する他方の面との間を略水平方向に貫通する貫通孔が形成された保液性の基盤本体を有する緑化基盤と、
前記貫通孔に挿入可能であり、かつ、液体を供給可能な液体供給部とを備える
緑化装置。
【発明の詳細な説明】
【技術分野】
【０００１】
本発明は緑化基盤および緑化装置に関する。詳しくは、例えば建造物の屋上やベランダを緑化するための緑化基盤および緑化装置に係るものである。
【背景技術】
【０００２】
建造物の断熱性の向上や景観の向上のために、屋根や屋上に植物を植え緑化することが行なわれている。すなわち、屋上緑化である。
【０００３】
また、断熱性の向上や景観の向上の他にも、屋上緑化は、ヒートアイランド現象の対策、建造物の耐久性の向上、防音性の向上、大気汚染物質の吸収や吸着などの効果を発揮するものである。
従って、様々な屋上緑化技術が提案されている。
【０００４】
例えば、特許文献１には、図６に示すような屋上緑化用基盤が記載されている。
すなわち、特許文献１に記載の屋上緑化用基盤１０１は、粒状のクリンカアッシュを骨材として、水とセメントとを混合して、内部に空隙１０２を有し、その空隙率が１０〜３０％となるようにブロック状に形成されたものである。
【先行技術文献】
【特許文献】
【０００５】
【特許文献１】特開２０１１−１５５８６２号公報
【発明の概要】
【発明が解決しようとする課題】
【０００６】
ところで、従来の緑化基盤は、植栽された植物の根が吸水するにあたって必要な保液性を有するものの、植物によっては、より多くの水分を必要とするものもあり、保液力の向上が求められていた。
【０００７】
本発明は、以上の点に鑑みて創案されたものであり、保液力が向上した、緑化基盤および緑化装置を提供することを目的とする。
【課題を解決するための手段】
【０００８】
上記の目的を達成するために、本発明の緑化基盤は、貫通する貫通孔が形成された、かつ、保液性を有する基盤本体を備える。
【０００９】
ここで、貫通孔が形成されていることによって、外部から基盤本体の内部に物を入れやすい。
また、貫通孔が形成されていることによって、貫通孔が形成されていないものに比べて軽量化できる。
【００１０】
また、本発明の緑化基盤において、基盤本体は、平板状であり、かつ、一方の面とこの一方の面に対向する他方の面との間を略水平方向に貫通する貫通孔が形成されたものとすることができる。
【００１１】
この場合、平板状であるので基盤本体を安定して配置しやすい。
また、この場合、貫通孔が、一の面と、この一の面と直交する他の面との間を貫通して形成された貫通孔よりも長く、かつ直線状であり、貫通孔に物を入れやすい。
【００１２】
また、本発明の緑化基盤において、少なくとも一端に開口した開口部が形成された、かつ、内部がこの開口部を介して外部と連通し、かつ、貫通孔の内部に少なくとも一部が配置される、かつ、内周面と外周面との間を貫通する散液孔が形成された管状散液部材を備えるものとすることができる。
【００１３】
この場合、貫通孔の内部に少なくとも一部が配置される管状散液部材によって、管状散液部材が貫通孔の内部に配置されていないときよりも強度を増すことができる。
【００１４】
また、少なくとも一端に開口した開口部が形成された、かつ、内部がこの開口部を介して外部と連通した管状散液部材によって、外部から管状散液部材内に液体を供給することができる。
【００１５】
また、内周面と外周面との間を貫通する散液孔が形成されていることによって、管状散液部材内に供給された物質を管状散液部材の周囲に放出できる。
【００１６】
また、上記の目的を達成するために、本発明の緑化基盤は、貫通する貫通孔が形成された、かつ、保液性を有する第１の基盤本体と、両端に開口した開口部が形成された、かつ、内部が同開口部を介して外部と連通し、かつ、前記第１の基盤本体の前記貫通孔の内部に少なくとも一部が配置される、かつ、内周面と外周面との間を貫通する散液孔が形成された第１の管状散液部材と、貫通する貫通孔が形成された、かつ、保液性を有する第２の基盤本体と、一端に開口した開口部が形成された、かつ、内部が同開口部を介して外部と連通し、かつ、他端に閉塞した閉塞部を有し、かつ、前記第２の基盤本体の前記貫通孔の内部に少なくとも一部が配置される、かつ、内周面と外周面との間を貫通する散液孔が形成された第２の管状散液部材とを備える。
【００１７】
ここで、貫通孔の内部に少なくとも一部が配置される第１の管状散液部材および第２の管状散液部材によって、第１の管状散液部材および第２の管状散液部材が貫通孔の内部に配置されていないときよりも強度を増すことができる。
【００１８】
また、内周面と外周面との間を貫通する散液孔が形成されていることによって、第１の管状散液部材および第２の管状散液部材に供給された物質を第１の管状散液部材および第２の管状散液部材の周囲に放出できる。
【００１９】
また、本発明の緑化基盤において、第１の基盤本体と第２の基盤本体とが接続可能に、第１の管状散液部材および第２の管状散液部材が貫通孔に配置されるものとすることができる。
【００２０】
この場合、両端に開口した開口部が形成された第１の管状散液部材の端部同士や、両端に開口した開口部が形成された第１の管状散液部材の端部と第２の管状散液部材の開口部が形成された一端とを連接させて、物質が通る通路を長く形成することができる。
【００２１】
また、上記の目的を達成するために、本発明の緑化装置は、平板状であり、かつ、一方の面と同一方の面に対向する他方の面との間を略水平方向に貫通する貫通孔が形成された保液性の基盤本体を有する緑化基盤と、前記貫通孔に挿入可能であり、かつ、液体を供給可能な液体供給部とを備える。
【００２２】
ここで、貫通孔が形成されていることによって、外部から基盤本体の内部に物を入れやすい。
また、平板状であるので基盤本体を安定して配置しやすい。
【００２３】
また、貫通孔が、一方の面とこの一方の面に対向する他方の面との間を略水平方向に貫通して形成されていることによって、貫通孔が、一の面と、この一の面と直交する他の面との間を貫通して形成された貫通孔よりも長く、かつ直線状であり、貫通孔に物を入れやすい。
【００２４】
また、貫通孔に挿入可能であり、かつ、液体を供給可能な液体供給部によって、貫通孔に挿入して液体を貫通孔の内部に供給することができる。
【発明の効果】
【００２５】
本発明に係る緑化基盤は、保液力が向上したものである。
本発明に係る緑化装置は、保液力が向上したものである。
【図面の簡単な説明】
【００２６】
【図１】本発明を適用した緑化基盤の一例を示す概略図である。
【図２】図１のＡ−Ａ線に沿った概略断面図である。
【図３】本発明を適用した緑化基盤の他の例を示す概略図である。
【図４】本発明を適用した緑化装置の一例を示す概略図である。
【図５】本発明を適用した緑化装置をベランダに配置したときの様子の一例を示す概略図である。
【図６】従来の緑化基盤を示す概略図である。
【発明を実施するための形態】
【００２７】
以下、本発明の実施の形態について図面を参照しながら説明し、本発明の理解に供する。
図１は、本発明を適用した緑化基盤の一例を示す概略図である。また、図２は、図１のＡ−Ａ線に沿った概略断面図である。
【００２８】
図１に示す本発明の緑化基盤１は基盤本体２を備える。
また、基盤本体２は平板状であり、かつ、保液性を有する。
また、基盤本体２には、一方の面と、この一方の面に対向する他方の面との間を略水平方向に貫通する貫通孔３が形成されている。
【００２９】
また、基盤本体２は、例えばシラスとセメントを主成分とする混合物が成形加工されて得られたものである。
また、基盤本体２の内部には、多数の気孔６が形成されている。
【００３０】
また、本発明の緑化基盤１は、貫通孔３の内部に少なくとも一部が出し入れ自在に配置された散水管４を備える。ここで、散水管４は、管状散液部材の一例である。
【００３１】
また、散水管４の一端には、開口した開口部４Ｃが形成されている。また、散水管４の内部は、開口部４Ｃを介して外部と連通している。
また、散水管４は、他端に、閉塞した閉塞部４Ｄを有する。
【００３２】
また、散水管４には、散水管４の内周面と外周面との間を貫通する多数の散水孔５が形成されている。ここで、散水孔５は、散液孔の一例である。
また、散水孔５の直径は、植物の根の太さよりも小さい。従って、植物の根は、散水孔５を通って散水管４の内部に侵入し難い。
【００３３】
なお、散水孔５の直径は植物の根の太さよりも小さいが、散水孔５の直径は、植物の根が通過しない大きさであれば充分であり、必ずしも散水孔５の直径が制限されるものではない。
【００３４】
図３は、本発明を適用した緑化基盤の他の例を示す概略図である。
図３に示す本発明の緑化基盤１は、基盤本体を複数に分割したものである。
【００３５】
また、図３に示す本発明の緑化基盤１は、貫通孔３の内部に配置された散水管の形態が異なる２種類の基盤本体を備える。
【００３６】
すなわち、貫通する貫通孔３が形成された、かつ、保液性を有する第１の基盤本体２Ａの貫通孔３の内部には、両端に開口した開口部が形成された第１の散水管４Ａが出し入れ自在に配置されている。
【００３７】
また、貫通する貫通孔３が形成された、かつ、保液性を有する第２の基盤本体２Ｂの貫通孔３の内部には、一端に開口した開口部が形成された、かつ、他端に閉塞した閉塞部を有する第２の散水管４Ｂが出し入れ自在に配置されている。
【００３８】
また、第１の散水管４Ａの内径と第２の散水管４Ｂの内径は互いに略同じである。
【００３９】
また、図３に示すように、第１の散水管４Ａの一端から所定の長さの部分は、第１の基盤本体２Ａから突出している。
【００４０】
また、図３に示すように、第２の散水管４Ｂの全長は、第２の基盤本体２Ｂに形成された貫通孔３の全長より短く、しかも第２の散水管４Ｂ全体が貫通孔３の内部に配置されている。
また、第２の散水管４Ｂの閉塞した他端と第２の基盤本体２Ｂの一方の縁部とが、略同一面内に位置している。
【００４１】
従って、第２の散水管４Ｂの開口した一端は、第２の基盤本体２Ｂの一方の縁部に対向する他方の縁部から所定の距離離れて位置している。
また、この距離は、第１の散水管４Ａの突出長さと略同じである。
【００４２】
すなわち、第１の基盤本体２Ａと第２の基盤本体２Ｂとが接続可能に、第１の散水管４Ａおよび第２の散水管４Ｂが貫通孔３に配置されている。
【００４３】
その結果、第１の散水管４Ａの突出した部分を、第２の基盤本体２Ｂの貫通孔３に挿入することができる。
このとき、第１の散水管４Ａの突出した一端が第２の散水管４Ｂの開口した一端と接する位置まで、第１の散水管４Ａの突出した部分を挿入できる。
【００４４】
このようにして、第１の基盤本体２Ａと第２の基盤本体２Ｂを接続することができる。
【００４５】
また、第１の基盤本体２Ａと第２の基盤本体２Ｂを接続したとき、第１の散水管４Ａの突出した一端が第２の散水管４Ｂの開口した一端と接しているので、第１の散水管４Ａの開口した他端から第２の散水管４Ｂの閉塞した他端まで延びる一本の流路を形成できる。
【００４６】
また、別の基盤本体をさらに接続したいときには、第１の散水管４Ａの他端が第１の基盤本体２Ａの縁部から所定の距離離れて位置するように第１の散水管４Ａの全長を短くする。
【００４７】
そして、別の基盤本体に形成された貫通孔の内部に、一部を突出させて別の散水管を配置し、別の散水管の突出した部分を第１の基盤本体２Ａの貫通孔３に挿入する。
このとき、別の散水管の端部と第１の散水管４Ａの端部とが接する位置まで別の散水管を挿入する。
【００４８】
また、別の散水管の内径は第１の散水管の内径と略同じである。
また、別の散水管の両端には、開口した開口部が形成されている。
【００４９】
ここで、基盤本体は必ずしも平板状でなくてもよく、例えば球状であってもよい。
しかし、基盤本体が平板状であれば、基盤本体を安定して配置しやすいので好ましい。
【００５０】
また、貫通孔は、必ずしも平板状の基盤本体の一方の面と、この一方の面に対向する他方の面とを略水平方向に貫通して形成されていなくてもよい。
【００５１】
しかし、貫通孔が、平板状の基盤本体の一方の面と、この一方の面に対向する他方の面との間を略水平方向に貫通して形成されていれば、貫通孔が、一の面とこの一の面と直交する他の面との間を貫通して形成された貫通孔よりも長く、かつ直線状であり、貫通孔に物を入れやすいので好ましい。
【００５２】
また、本発明の緑化基盤は、必ずしも管状散液部材を備えていなくてもよい。
しかし、本発明の緑化基盤が、貫通孔の内部に少なくとも一部が配置される管状散液部材を備えていれば、管状散液部材が貫通孔の内部に配置されていないときよりも強度を増すことができるので好ましい。
【００５３】
また、必ずしも第１の散水管の一部を突出させたり、第２の散水管の全長を、第２の基盤本体に形成された貫通孔の全長より短くしたりしなくてもよい。
【００５４】
例えば、第１の散水管の全長を第１の基盤本体に形成された貫通孔の全長と略同じにして、第１の散水管を突出させずに貫通孔内部に配置し、かつ、第２の散水管の全長を第２の基盤本体に形成された貫通孔の全長と略同じにして、第２の散水管を突出させずに貫通孔内部に配置することもできる。
【００５５】
そしてこのとき、例えば蛇腹式の伸縮可能なジョイント部材の両端を、第１の散水管と第２の散水管にそれぞれ挿入して、第１の基盤本体と第２の基盤本体とを接続することもできる。
【００５６】
ここで、貫通孔は略水平方向に形成されているが、必ずしも貫通孔は略水平方向に形成されていなくてもよい。例えば貫通孔は、略鉛直方向に形成されていてもよい。
しかし、貫通孔が略鉛直方向に形成されていると、植物が植えられる面に孔が形成されてしまうので好ましくない。
【００５７】
図４は、本発明を適用した緑化装置の一例を示す概略図である。
図４に示す本発明の緑化装置７は、本発明の緑化基盤１と、本発明の緑化基盤１に形成された貫通孔３に挿入された、かつ、水を供給可能な水供給部８を備える。
【００５８】
ここで、水供給部８は、液体供給部の一例である。
また、供給される水には、例えば追肥剤を含ませることもできる。
【００５９】
また、図４に示す本発明の緑化基盤１は、第１の基盤本体２Ａと第２の基盤本体２Ｂを接続したものである。
また、図４に示す例では、２つの第１の基盤本体２Ａ同士を接続している。
また、各基盤本体の長さと幅は例えば約５０ｃｍであり、高さは例えば約５ｃｍである。
【００６０】
すなわち、両方の第１の基盤本体２Ａに形成された貫通孔３の内部には、両端に開口した開口部が形成された第１の散水管４Ａが出し入れ自在にそれぞれ配置されている。
また、それぞれの第１の散水管４Ａの一端から所定の長さの部分は、第１の基盤本体２Ａから突出している。
【００６１】
また、一方の第１の基盤本体２Ａに形成された貫通孔３の内部に配置された第１の散水管４Ａの他端は、第１の基盤本体２Ａの縁部から離れて位置している。
また、他方の第１の基盤本体２Ａの貫通孔３の内部に配置された第１の散水管４Ａの突出した部分が、一方の第１の基盤本体２Ａの貫通孔３に挿入されている。
【００６２】
また、第２の基盤本体２Ｂに形成された貫通孔３の内部には、第２の散水管４Ｂが出し入れ自在に配置されている。
また、第２の散水管４Ｂの開口した一端は、第２の基盤本体２Ｂの縁部から所定の距離離れて位置している。
【００６３】
また、一方の第１の基盤本体２Ａの貫通孔３の内部に配置された第１の散水管４Ａの突出した部分が、第２の基盤本体２Ｂの貫通孔に挿入されている。
【００６４】
また、図４に示す例では、このように第１の基盤本体２Ａと第２の基盤本体２Ｂが接続した緑化基盤１が並べて複数配置されている。
【００６５】
また、水供給部８は、水を送出可能なポンプ９を有する。
また、水供給部８は、ポンプ９から送出された水が通る供給本管１０と、供給本管１０の長手方向に沿って供給本管１０に一端が取付けられた複数の供給分岐管１１とを有する。
【００６６】
また、供給分岐管１１の両端には、開口した開口部が形成されており、供給分岐管１１の内部は開口部を介して外部と連通している。
また、供給分岐管１１の一端は供給本管１０に取付けられているので、供給分岐管１１の内部は、一端に形成された開口部を介して供給本管１０の内部と連通している。
【００６７】
また、供給分岐管１１の他端は、他方の第１の基盤本体２Ａの貫通孔３に挿入されている。すなわち、供給分岐管１１の他端は、他方の第１の基盤本体２Ａの貫通孔３に配置された第１の散水管４Ａに挿入されている。
【００６８】
また、ポンプ９の内部と供給本管１０の内部とは、連結管１２を介して連通している。
【００６９】
また、並べて配置された複数の緑化基盤１それぞれの第１の散水管４Ａに供給分岐管１１の他端が挿入されており、しかも供給分岐管１１は一本の供給本管１０に取付けられているので、供給本管１０が複数の緑化基盤１を束ねることができる。
【００７０】
図５は、本発明を適用した緑化装置をベランダに配置したときの様子の一例を示す概略図である。
図５に示すように、本発明の緑化装置７をベランダに配置するときには、ベランダ床材（図示せず。）に基盤プレート１６を配置し、この基盤プレート１６に本発明の緑化装置７を配置する。なお、ビルディングなどの建造物の屋上に本発明の緑化装置７を配置するときも同様である。
このとき、第１の基盤本体２Ａおよび第２の基盤本体２Ｂと、基盤プレート１６との間に防根透水シート１３を配置する。
【００７１】
ここで、防根透水シート１３には、第１の基盤本体２Ａおよび第２の基盤本体２Ｂに根付いた芝１５の根の太さより小さい直径を有する微細孔（図示せず。）が形成されている。
【００７２】
また、基盤プレート１６には、基盤プレート１６を支持するための脚部１７が取付けられている。また、基盤プレート１６として、例えば特開２０１１−００４６４６号公報に記載の基盤プレートを用いることができる。
【００７３】
このような、脚部１７付き基盤プレート１６を用いることによって、本発明の緑化装置を浮かせて配置することができるので、基盤プレートと一緒に本発明の緑化装置を移動させやすいし、断熱効果も向上する。
【００７４】
その結果、基盤プレートと一緒に本発明の緑化装置を移動させて、ベランダや屋上の防水層のメンテナンス工事を容易に行うことができ、またさらに、本発明の緑化基盤自体のメンテナンスも容易に行うことができる。
【００７５】
また、第１の基盤本体２Ａおよび第２の基盤本体２Ｂの側面に接触させて、第１の基盤本体２Ａおよび第２の基盤本体２Ｂの周囲に防根プレート１４を配置する。
なお、図５において、正面に位置する防根プレートは図示を省略している。
【００７６】
また、第１の基盤本体２Ａの、供給分岐管１１が挿入される側面に接触させる防根プレート１４には、供給分岐管１１を通すために、一方の面とこの面に対向する他方の面との間を略水平方向に貫通する孔が形成されている。
【００７７】
ここで、必ずしも緑化基盤は、複数の基盤本体を接続したものでなくてもよい。
しかし、複数の基盤本体を接続したものであれば、適宜、基盤本体を増減させてベランダなど緑化基盤を配置する場所の形に適合させることができるので好ましい。
【００７８】
以上のように、本発明の緑化基盤は、貫通する貫通孔が形成された、かつ、保液性を有する基盤本体を備えるので、外部から基盤本体の内部すなわち貫通孔の内部に水を入れやすい。
従って、本発明の緑化基盤は、保液力が向上したものである。
【００７９】
また、本発明の緑化装置は、このような緑化基盤を備えるので、保液力が向上したものである。
【００８０】
よって、本発明の緑化基盤や緑化装置を用いれば、芝など植物を育成するために必要な水分を充分に緑化基盤に保持することができ、大いに緑化できる。
【符号の説明】
【００８１】
１    緑化基盤
２    基盤本体
２Ａ  第１の基盤本体
２Ｂ  第２の基盤本体
３    貫通孔
４    散水管
４Ａ  第１の散水管
４Ｂ  第２の散水管
４Ｃ  開口部
４Ｄ  閉塞部
５    散水孔
６    気孔
７    緑化装置
８    水供給部
９    ポンプ
１０    供給本管
１１    供給分岐管
１２    連結管
１３    防根透水シート
１４    防根プレート
１５    芝
１６    基盤プレート
１７    脚部
【図１】
2015092857.tif 000003
【図２】
2015092857.tif 000004
【図３】
2015092857.tif 000005
【図４】
2015092857.tif 000006
【図５】
2015092857.tif 000007
【図６】
2015092857.tif 000008